(57)【要約】【課題】ごみ集積所に集められたごみを封入した多数のごみ袋を覆うことにより、該ごみ袋の内容物を烏により目視され難くすることができ、特に烏によるごみあさりを防止することのできる集積ごみ用保護網を提供すること。【解決手段】染色剤もしくは顔料の何れかの黄色着色剤で着色された天然植物繊維もしくは化学繊維を製網してなり、望ましくは、黄色着色剤と共に反射性微粒子を添加した着色剤で着色された天然植物繊維もしくは化学繊維を製網してなる集積ごみ用保護網とする。【選択図】  図１
0003110101.tif 000002
【実用新案登録請求の範囲】
【請求項１】
黄色着色剤で着色された天然植物繊維もしくは化学繊維を製網してなることを特徴とする集積ごみ用保護網。
【請求項２】
黄色着色剤と共に反射性微粒子を添加した着色剤で着色された天然植物繊維もしくは化学繊維を製網してなることを特徴とする請求項１に記載の集積ごみ用保護網。
【請求項３】
着色剤が染色剤もしくは顔料の何れかであることを特徴とする請求項１または請求項２に記載の集積ごみ用保護網。
【考案の詳細な説明】
【技術分野】
【０００１】
本考案は主としてごみの一時集積所において集積されたごみの散乱を伴う鳥のごみあさりを防止することを目的とした集積ごみ用保護網に関し、特に烏によるごみあさりを防止することを目的としたものである。
【背景技術】
【０００２】
家庭等より廃棄されるごみは、ごみ袋に収められ封止され、一時的に路上の一角等に各自治体等の指定するごみ集積所に適当に積み重ね集められ、その後、ごみは回収員により回収され処理所等に搬送され処理されることとなるが、特に生ごみにあっては鳥の餌となり得るものが多く含まれることから、これに誘引された鳥がごみあさりをして、ごみ袋を破損せしめて内部に収められていたごみを散乱させることが多くあり、回収員による回収が困難となり、更に、街の美観を損ね、悪臭を放ち、極めて不衛生であり、該集積所の近隣の住民等はその清掃に苦慮している。
【０００３】
また、近年では、ごみの回収員の安全と処理の都合から、ごみ袋の内容物たるごみの分別が十分になされることが望まれ、その分別の状況や危険物の混入の有無をごみ袋越しに確認し得るように、各自治体等の多くは、ごみの廃棄に該ごみを収めるごみ袋に半透明のものを用いることを要求しており、該半透明のごみ袋がごみの廃棄に用いられている。
【０００４】
これにより、鳥にもごみ袋越しに内容物のごみを視認し得るものとなり、該ごみに餌となり得るものや、餌となり得るように視認されるものが含まれれば、鳥は直ちにごみ袋を破りごみあさりをするところとなり、前記の鳥によるごみあさりが助長されるに至っている。
【０００５】
該鳥の中でも特に烏は、人間より遥かに色覚精度において優れ、半透明のごみ袋越しであっても内部の餌となり得るものを視認するに十分な視力と識別能力を具えており、ごみ集積所において的確かつ効率的に多くのごみ袋に亘り内部のごみのごみあさりをして、多くのごみを散乱せしめており、このような烏によるごみあさりが問題視され、その対策が強く望まれている。
【０００６】
これに対して、ごみ集積所に集められたごみを封入した多数のごみ袋を集積ごみ用保護網により覆い、鳥によるごみあさりを防止することが多くなされており、該集積ごみ用保護網としては、主として青色または緑色の、化学繊維よりなる紐を編網したものが用いられている（例えば、特許文献１参照。）。
【０００７】
然しながら、烏にあっては、前記の優れた視力と識別能力と併せて他のごみあさりをする鳥より比較的に体格も大きく嘴が長いこともあり、集積ごみ用保護網とそれに覆われたごみ袋越しに餌となり得るものを視認して、口ばしで該集積ごみ用保護網の網目越しにごみ袋を破損せしめてごみあさりをして、該ごみを散乱させるに至り、十分な対策とはなっていない。
【０００８】
ところで、烏は視力と識別能力に優れ、ごみ袋の内容物を該ごみ袋越しに視認して、餌となり得るものを確認した上でごみあさりをしており、また、色覚にも優れ、殊に餌となる木の実を発見し得るよう、人間と比較して黄色を強調して視認していることが発見され、これに着目して、前記の各自治体等の要求を満たすよう半透明としたごみ袋であっても、黄色に着色した半透明のごみ袋とすれば、烏は該ごみ袋の黄色を強調して視認して、あたかも不透明のごみ袋であるかの如く視認することとなり、該ごみ袋の内容物に餌となり得るものが含まれていてもごみあさりをし難いことが実証され、大倉工業株式会社と三井化学プラテック株式会社により実施されるに至っている。
【０００９】
然しながら、前記の黄色のごみ袋は、再使用することなく、ごみの廃棄の度に共に廃棄されるものとしては製造コストが高く、家庭等における一般の需要者への販売価格は通常の東京都の指定するごみ袋の２倍程度となり、普及するには至っていない。
【００１０】
【特許文献１】実用新案登録第３００７１０９号
【考案の開示】
【考案が解決しようとする課題】
【００１１】
本考案は上述の難点に鑑み、ごみ集積所に集められたごみを封入した多数のごみ袋を覆うことにより、該ごみ袋の内容物を烏により目視され難くすることができ、特に烏によるごみあさりを防止することのできる集積ごみ用保護網を提供することを課題とする。
【課題を解決するための手段】
【００１２】
本考案の考案者は、前述の如く烏が人間と比較して黄色を強調して視認していることに着目して、本考案による集積ごみ用保護網をなした。
【００１３】
然るに本考案による集積ごみ用保護網は、第１の構成として、黄色着色剤で着色された天然植物繊維もしくは化学繊維を製網してなるものとして、或いは、第２の構成として、前記の第１の構成に加えて、黄色着色剤と共に反射性微粒子を添加した着色剤で着色された天然植物繊維もしくは化学繊維を製網してなるものとした。
【００１４】
また、第３の構成として、前記の第１または第２の何れかの構成において、着色剤が染色剤もしくは顔料の何れかである集積ごみ用保護網とした。
【考案の効果】
【００１５】
上述の如く第１乃至第３の構成とすることにより本考案による集積ごみ用保護網は、ごみ集積所においてごみを封入したごみ袋を覆ったときに、烏は該集積ごみ用保護網の黄色を強調して視認して、ごみ袋およびその内容物への注意がそれ、集積ごみ用保護網の網目越しにごみ袋に封入してある内容物を視認し難いものとなり、特に第２の構成によれば、該集積ごみ用保護網の黄色が反射により網目の内部の空間にも効果を及ぼし、烏は該集積ごみ用保護網をより強調して視認することとなり、その効果はより顕著なものとなる。
【００１６】
これにより、烏にとって、内容物に餌となり得るものが含まれているごみ袋であっても、本考案による集積ごみ用保護網で覆うことにより、該集積ごみ用保護網の網目越しにごみ袋の内部の該餌となり得るものを視認し難いものとなり、烏のごみ袋の内容物を該ごみ袋越しに視認して餌となり得るものを確認した上でごみあさりをする習性から、烏によるごみあさりを防止することができる。
【００１７】
勿論、本考案による集積ごみ用保護網は、烏の他の特に黄色を強調して視認することのない鳥であっても、従来の集積ごみ用保護網と同様に、その網構造により、覆ったごみ袋のごみあさりをするに障害となるものである。
【考案を実施するための最良の形態】
【００１８】
本考案による集積ごみ用保護網について、これを最良の形態としたものを図示しつつ詳説する。
【００１９】
本考案による集積ごみ用保護網１は、図１の集積ごみ用保護網の構造を示す概要斜視図に示すような、着色剤により黄色に着色した天然植物繊維あるいは化学繊維を製網してなる網状物であって、図２の集積ごみ用保護網の使用状態を示すごみ集積所の概要断面図に示すように、路上の一角等に設けられたごみ集積所２に適当に積み重ね集められたごみを封入した多数のごみ袋３の上面に被せ、該ごみ袋３を十分に覆って保護し得るように適宜の寸法としてある。
【００２０】
また、本考案による集積ごみ用保護網１は、天然植物繊維あるいは化学繊維を無結節あるいは有結節に編網して網状物としてあり、その網目は大きくとも３０ｍｍとしてあり、好ましくは２０ｍｍ以下としてある。
【００２１】
ところで、集積ごみ用保護網１の材料として用いる天然植物繊維としては、例えば、綿、麻等を、着色剤として染料を用いて黄色に着色し、且つ、製網して網状物としたものを用いるが、集積ごみ用保護網１は主として屋外のごみ集積所２において用いられることから、長期に亘り日差しや風雨に耐え、侵されることなく、虫に食われないように、天然植物繊維よりも化学繊維（合成繊維）を集積ごみ用保護網１の材料として用いることが望ましい。
【００２２】
そこで、集積ごみ用保護網１の材料として用いる化学繊維としては、例えば、ポリアミド系繊維、ポリエステル系繊維、ポリアクリロニトリル系繊維、ポリビニルアルコール系繊維、ポリプロピレン系繊維、ポリ塩化ビニリデン系繊維、ポリウレタン系繊維を用いることができ、例えば、ナイロン、ポリエステル、アクリル、ビニロン、ポリプロピレン、ビニリデン、ポリウレタン等を、着色剤として顔料を配合して黄色に着色しこれを繊維とし、且つ、製網して網状物としたものを用いる。
【００２３】
前記の集積ごみ用保護網１の材料として用いる化学繊維には、着色剤として主として黄色の顔料が用いられ、例えば、無機顔料としては、黄色酸化鉄、カドミウムイエロー、チタンイエロー、黄鉛等があり、有機顔料としては、ピラソロンレッド、ベンジンイエロー、アンスラキノンイエロー、イソインドリノンイエロー、フラバンスロンイエロー、アンスラピリミジン、パーマネントイエローＨ１０Ｇ、ポリアゾイエロー等があり、これらを一又は複数を選択して配合し、更に必要に応じて他の蛍光顔料等の顔料を配合することができる。
【００２４】
更に、前記の集積ごみ用保護網１の材料として用いる化学繊維には着色剤と共に、反射性微粒子を配合することが望ましく、これにより集積ごみ用保護網１は黄色としたことと併せて烏に対して視認性がより高いものとなり、特に烏はより強調して集積ごみ用保護網１を視認して、該集積ごみ用保護網１によりごみ集積所２においてごみを封入したごみ袋３を覆ったときに、ごみ袋３およびその内容物への注意がそれ、集積ごみ用保護網１の網目越しにごみ袋３に封入してある内容物を視認し難いものとなる。
【００２５】
前記の集積ごみ用保護網１の材料として用いる化学繊維に着色剤と共に配合する反射性微粒子としては、例えば、アルミニウムやガラスを用いることができる。
【００２６】
尚、本考案による集積ごみ用保護網１は、このようなごみ集積所２にのみ用いるのみならず、例えば、ごみを封入したごみ袋３を収容し得るように枠体の周面に網状物を張設して箱状としたごみ集積所等のように、ごみ袋３を鳥によるごみあさりから保護すべく一定空間内に該ごみ袋３を隔離するよう網状物を設けたものについて、該網状物として本考案による集積ごみ用保護網１を用いることによっても同様に効果を奏することができる。
【産業上の利用可能性】
【００２７】
本考案による集積ごみ用保護網は上述の如く構成することにより、鳥による該ごみのごみあさりを防止する集積ごみ用保護網は、特に烏による該ごみのごみあさりを防止することができるものとなり、これにより、ごみ集積所においてごみを封入した多数のごみ袋を覆ったときに、特に烏によりる該ごみの散乱を防止することができ、回収員は該ごみの回収を円滑にすることができ、また、ごみ集積所の周辺は衛生的に保つことができる。
【図面の簡単な説明】
【００２８】
【図１】集積ごみ用保護網の構造を示す概要斜視図
【図２】集積ごみ用保護網の使用状態を示すごみ集積所の概要断面図
【符号の説明】
【００２９】
１    集積ごみ用保護網
２    ごみ集積所
３    ごみ袋
【図１】
0003110101.tif 000003
【図２】
0003110101.tif 000004